(57)【要約】【課題】前枠扉の開閉に合わせて球送出口を開閉するシャッタ板を供える遊技機にあって前枠扉の開放動作の際に球送出口から遊技球が零れるのを防止する。【解決手段】シャッタ板４０の表面に凹状の弾接凹面部６４を配設し、前枠扉６の開放動作に伴って球導出受部５０が前方退避する際に、シャッタ板４０が弾接凹面部６４を球導出受部５０の後縁５１に弾接させながら起立するようにした。かかる構成によれば、前枠扉６の開放動作時にシャッタ板４０が速やかに起立することとなるため、球送出口３４上流側の遊技球ｘはシャッタ板４０に乗載せず、前枠扉６の開放動作の際に球送出口３４から遊技球ｘが零れ落ちることがなくなる。【選択図】図７
2008006176.tif 000002
【特許請求の範囲】
【請求項１】
遊技球を払い出す払出装置と、該払出装置により払い出された遊技球が前方へ流出可能な球送出口とを備えた遊技機本体と、
球貯留皿が前面に配設され、前記遊技機本体の前面側に片開き可能に枢支された前枠扉と、
前記前枠扉に後方へ突設され、前記前枠扉の閉鎖状態で前記球送出口に嵌入して、前記払出装置により払い出された遊技球を受けて前記球貯留皿へ導出する球導出受部と、
前記球送出口の下縁部に回動自在に軸支され、付勢バネにより前記前枠扉の開放状態では前記球送出口を閉塞する起立位置に付勢保持され、前記前枠扉の閉鎖状態では、前記球送出口に嵌入した前記球導出受部の後縁に弾接して前記球送出口を開放する傾倒位置に保持されるシャッタ板と
を備えた遊技機において、
前記シャッタ板の表面には、
前記前枠扉の開放動作に伴って前記球導出受部が前方退避する際に前記球導出受部の後縁に付勢バネによって弾接しながら追従する凹状の弾接凹面部が設けられていることを特徴とする遊技機。
【請求項２】
前記弾接凹面部は、前記球導出受部の前方退避に伴って前記シャッタ板が前記傾倒位置から前記起立位置に変換する際に、前記シャッタ板の上端部の追従初速度を向上するものであることを特徴とする請求項１記載の遊技機。
【請求項３】
前記シャッタ板は、前記球導出受部が前記前枠扉の閉鎖状態における位置から略水平に回動して前方へ退避するのに伴って、前記弾接凹面部を前記球導出受部の後縁に弾接させながら前上方へ回動して前記起立位置に変換するものであり、
前記弾接凹面部は、前記球導出受部の後縁が前記前枠扉の閉鎖状態における位置から僅かに前方へ退避した状態で、前記シャッタ板の支軸と前記シャッタ板の上端部とを結ぶ仮想平面よりも後下方位置で、前記球導出受部の後縁に弾接するように前記シャッタ板の表面に設けられていることを特徴とする請求項１及び請求項２に記載の遊技機。
【発明の詳細な説明】
【技術分野】
【０００１】
本発明は、遊技球を遊技媒体とし、該遊技球を前枠扉に配設された球貯留皿に払い出す遊技機に関する。
【背景技術】
【０００２】
パチンコ機等の遊技機では、前面側に球貯留皿を備えた前枠扉が遊技機本体に片開き可能に枢設されており、遊技中に所定条件が成立すると、所定個数の遊技球を前枠扉の球貯留皿に払い出すようになっている。一般的な遊技機では、遊技球を払い出す作動を実行する払出装置が遊技機本体に設けられており、遊技機本体前面側に開口する球送出口から払い出された遊技球を流出させる。そして、前枠扉には、前枠扉を前後に貫通する球払出口が設けられており、この球払出口が前枠扉の閉鎖状態で球送出口と連通することによって、球送出口から流出した遊技球が球貯留皿へ流出するようになっている。
【０００３】
このような遊技機では、遊技中に球詰り等が発生した場合に前枠扉を開放して復旧作業を行うのであるが、前枠扉の開放状態では、遊技機本体の球送出口と前枠扉の球払出口とが離間しているため、閉鎖状態同様に球送出口から遊技球を流出させると、遊技球が遊技機本体の前面側に零れ落ちてしまう。従来の遊技機では、これを防止するために、球送出口の直上流位置に、遊技機本体下部の余剰球貯留皿に通じる払出球排出路の流入口が開口するとともに、前記前枠扉の球払出口開口部位に、受皿状の球導出受部が後方へ突設されており、前枠扉の閉鎖状態では、球導出受部が球送出口へ嵌入して払出球排出路を閉鎖して、払出装置から払い出された遊技球を球払出口を介して球貯留皿へ導出するようにしている。すなわち、かかる構成では、前枠扉を開放すると、球導出受部が球送出口から退出して払出球排出路の流入口が開放され、払出装置から払い出された遊技球は専ら払出球排出路に流入して余剰球貯留皿に排出されるのである。
【０００４】
また、上記した構成にあっては、前枠扉の開放時に球送出口を閉鎖するシャッタ板を備えるものがある（例えば、特許文献１）。このシャッタ板は、球送出口の下縁に回動自在に軸支された板片であり、前枠扉の開放状態では付勢バネの付勢力によって起立して球送出口を閉鎖し、払出装置から流下してきた遊技球ｘが勢い余って球送出口から飛び出てしまわないようにする。一方、前枠扉の閉鎖状態では、シャッタ板は球導出受部の後縁に押圧されて後下方へ傾倒し、球送出口は開放される。
【０００５】
【特許文献１】実開昭５５−５６６８４号公報
【発明の開示】
【発明が解決しようとする課題】
【０００６】
ところで、上記シャッタ板には改善すべき点がある。図１１は、シャッタ板を備えた従来の遊技機の要部縦断面図である。図１１に示すように、従来の遊技機では、前枠扉ｃの開放動作の際に、付勢バネによってシャッタ板ａが前方退避する球導出受部ｄに弾接しながら徐々に起立していき球送出口ｂを閉塞するようになっている。ここで、従来のシャッタ板ａは平板状であるため、図１１（Ｂ）に示すように、球導出受部ｄが前方退避を開始した時にシャッタ板ａがスムーズには起立せず、球導出受部ｄの後縁の後方に突出幅の大きな突出部ｗが生じることとなる。このため、図中、二点鎖線で示すように、球貯留皿ｅが満杯で球送出口ｂの上流側の球流通路ｆにまで遊技球ｘが滞留している状態で前枠扉ｃを開放すると、球流通路ｆに滞留していた遊技球ｘがシャッタ板ａの突出部ｗの上に乗載してしまい（図１１（Ｂ）参照）、シャッタ板ａの起立に伴って、乗載した遊技球ｘが球送出口ｂから前方へ零れ落ちてしまうのである（図１１（Ｃ）参照）。
【０００７】
本発明は、かかる現状に鑑みてなされたものであり、前枠扉を開放する際に、球送出口から遊技球が零れ難い遊技機の提供を目的とする。
【課題を解決するための手段】
【０００８】
本発明は、遊技球を払い出す払出装置と、該払出装置により払い出された遊技球が前方へ流出可能な球送出口とを備えた遊技機本体と、球貯留皿が前面に配設され、前記遊技機本体の前面側に片開き可能に枢支された前枠扉と、前記前枠扉に後方へ突設され、前記前枠扉の閉鎖状態で前記球送出口に嵌入して、前記払出装置により払い出された遊技球を受けて前記球貯留皿へ導出する球導出受部と、前記球送出口の下縁部に回動自在に軸支され、付勢バネにより前記前枠扉の開放状態では前記球送出口を閉塞する起立位置に付勢保持され、前記前枠扉の閉鎖状態では、前記球送出口に嵌入した前記球導出受部の後縁に弾接して前記球送出口を開放する傾倒位置に保持されるシャッタ板とを備えた遊技機において、前記シャッタ板の表面には、前記前枠扉の開放動作に伴って前記球導出受部が前方退避する際に前記球導出受部の後縁に付勢バネによって弾接しながら追従する凹状の弾接凹面部が設けられていることを特徴とする遊技機である。
【０００９】
かかる構成によれば、前枠扉の開放動作によって前方退避する球導出受部に対してシャッタ板を大きく起立させることができる。すなわち、従来の平板状シャッタ板では、図１１に示したように、シャッタ板の上端部が、シャッタ板と球導出受部の弾接部位と、シャッタ板の支軸と略同一面上に位置することとなっていたが、本発明におけるシャッタ板は、前枠扉の開放動作の際に凹状の弾接凹面部を球導出受部の後縁に弾接させるため、弾接凹面部の凹み分だけシャッタ板の起立角度を平板状シャッタ板よりも大きくできるのである。なお、本発明における「シャッタ板の上端部」とは、支軸から最も離れたシャッタ板の最先端部を指し、「シャッタ板の起立角度」とは、シャッタ板の上端部と支軸を結ぶ仮想平面が水平面となす角度を指す。
【００１０】
このように、本発明では、前枠扉を開放動作におけるシャッタ板の起立角度が従来構成よりも大きくなるため、その分、シャッタ板の上端部が従来構成よりも前方寄りに位置することとなり、シャッタ板が球導出受部の後方へ突出する突出幅が小さくなる。したがって、本発明にあっては、球送出口の上流側の遊技球が前枠扉の開放動作時にシャッタ板に乗載に難く、球送出口から遊技球が零れ落ち難い。
【００１１】
また、上記構成にあっては、前記弾接凹面部は、前記球導出受部の前方退避に伴って前記シャッタ板が前記傾倒位置から前記起立位置に変換する際に、前記シャッタ板の追従初速度を向上するものであることが望ましい。ここで「シャッタ板の上端部の追従初速度」とは、前枠扉の閉鎖状態から球導出受部が前方退避を開始する際に、球導出受部の後縁に追従するシャッタ板上端部の前方向への相対速度を指す。また、「追従初速度を向上する」とは、追従初速度を平板状のシャッタ板に比して向上させることを指す。
【００１２】
すなわち、かかる構成によれば、球導出受部が前枠扉の閉鎖状態における位置から前方退避を開始した時に、シャッタ板の上端部が速やかに前方回動を開始して、球導出受部の後縁を追従することとなる。上述のように、従来構成のシャッタ板が前枠扉開放時に球導出受部の後方に大きく突出してしまうのは、図１１（Ｂ）に示したように、球導出受部の前方退避開始直後におけるシャッタ板ａの上端部の前方移動が遅いためである。したがって、本構成のように、シャッタ板の上端部の追従初速度が大きくなるように弾接凹面部を配設した場合には、シャッタ板の突出幅を小さくすることができ、シャッタ板の上に遊技球が乗載するのを適切に防ぐことができる。また、球導出受部の上流に遊技球が滞留していない場合であって、前枠扉を開放開始したときに、球流通路から遊技球が勢いよく払出されてきたとしても、その遊技球をシャッタ板の裏面側で確実に止めて、その流出を防ぐことができる。
【００１３】
なお、シャッタ板の追従初速度としては、球導出受部の前方退避に伴ってシャッタ板が傾倒位置から起立位置に変換する際に、シャッタ板の後方への突出幅が常に遊技球の半径以下となる程度が望ましい。シャッタ板の突出幅がかかる範囲内であれば遊技球がほとんど乗載しないためである。
【００１４】
上記のように、シャッタ板の追従初速度を向上する具体的構成としては、前記シャッタ板は、前記球導出受部が前記前枠扉の閉鎖状態における位置から略水平に回動して前方へ退避するのに伴って、前記弾接凹面部を前記球導出受部の後縁に弾接させながら前上方へ回動して前記起立位置に変換するものであり、前記弾接凹面部は、前記球導出受部の後縁が前記前枠扉の閉鎖状態における位置から僅かに前方へ退避した状態で、前記シャッタ板の支軸と前記シャッタ板の上端部とを結ぶ仮想平面よりも後下方位置で、前記球導出受部の後縁に弾接するように前記シャッタ板の表面に設けられている構成が提案される。
【００１５】
かかる構成にあっては、シャッタ板の起立開始直後に弾接凹面部が球導出受部と弾接するため弾接凹面部の凹み分だけシャッタ板の起立角度が大きくなり、起立角度が大きい分だけ平板状シャッタ板よりも追従初速度を向上させることができる。通常、シャッタ板の起立開始直後は、球導出受部の後縁とシャッタ板の上端部寄り部位が弾接することとなるから、本発明における弾接凹面部は、少なくともかかる上端部寄り部位に形成されていることが望ましい。また、当該上端部寄り部位における弾接凹面部の凹み具合が大きいものであることが望ましい。シャッタ板の起立角度が大きくなり、シャッタ板の追従初速度を一層向上できるためである。
【発明の効果】
【００１６】
以上に述べたように、本発明によれば、前枠扉の開放動作の際にシャッタ板を速やかに起立させることができ、球導出受部の後方へ突出するシャッタ板の突出幅を小さくできる。このため、本発明の遊技機では、球送出口の上流側に遊技球が滞留した状態で前枠扉を開放しても球送出口から遊技球が零れ落ち難く、作業者は球詰り等の復旧作業を円滑に行うことができる。
【発明を実施するための最良の形態】
【００１７】
本発明をパチンコ機に適用する実施形態を、以下の実施例に従って説明する。
【００１８】
本実施例のパチンコ機１は、図１，２に示すように、遊技島設備に固定される木製の外枠２と、該外枠２の開口部分に取り付けられた遊技機本体３と、該遊技機本体３の前面側に開閉可能に配設される前枠扉６とから構成されている。
【００１９】
遊技機本体３は、上記外枠２にヒンジ部材４を介して枢着される板状の本体枠５と、該本体枠５の裏面側に配設される裏機構板７（図３参照）とを備えてなる。
【００２０】
ここで、裏面、裏面側とは、前枠扉６が本体枠５に閉鎖された状態におけるパチンコ機１の背面、背面側を指しており、以下についても同様である。
【００２１】
上記した本体枠５には、遊技盤９が配設されており、該遊技盤９の前面には、案内レール１３が湾曲状に設けられている。そして、この案内レール１３により区画された円形領域は、大入賞口や普通入賞口などを備えた各種入賞装置（図示省略）や遊技釘などが配設された遊技領域１２となっている。
【００２２】
また、本体枠５には、遊技盤９の直下に発射装置１５が配設されている。そして、発射装置１５の前側には、該発射装置１５の発射位置に遊技球を一個ずつ送り出す電動式の球送り機構を備えた整流器２０が配設されている。
【００２３】
また、本体枠５の前面下部には、図１，２のように、下部パネル２３が設けられており、この下部パネル２３の前面中央に余剰の遊技球を貯留する余剰球貯留皿１１が配設されている。この余剰球貯留皿１１内には球放出口２４が開口しており、該球放出口２４から余剰球貯留皿１１内に遊技球が放出される。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００２４】
余剰球貯留皿１１の右方には発射ハンドル２８が突設される。発射ハンドル２８の外周部には回動操作可能な発射レバー２９が設けられており、発射ハンドル２８の内部には、発射レバー２９の回動角度を検知する発射強度電子ボリューム（図示省略）が配設される。発射強度電子ボリュームは、上記した発射装置１５や整流器２０の作動を制御する発射制御基板（図示省略）に接続される。すなわち、発射レバー２９の操作に従って発射強度電子ボリュームから発射制御基板に信号が入力され、これに従って該発射制御基板は、整流器２０の球送り機構を作動すると共に、発射装置１５を駆動制御し、整流器２０から発射位置に送り出された遊技球が発射されるのである。
【００２５】
また、上記した裏機構板７は、図３のように、本体枠５の裏面側に取り付けられている。この裏機構板７には、その上部に、図示しない遊技島設備から供給される遊技球を貯留する球タンク３０が設けられており、球タンク３０の直下に、該球タンク３０内の遊技球を流下させるタンクレール４５が設けられている。また、裏機構板７の図中右側部には、遊技球を払い出す払出装置３１と、タンクレール４５の下端部と連通して遊技球を払出装置３１に導く上下方向の球通路４６が設けられている。また、裏機構板７には、前記払出装置３１から払い出される遊技球をさらに下方に導く二股状に分岐された球流通路３２ａ，３２ｂが設けられており、その一方の球流通路３２ａは本体枠５に開口された後述する球送出口３４と連通され、他方の球流通路３２ｂは余剰球貯留皿１１の前記球放出口２４と連通されている。かかる構成によれば、球タンク３０に貯留される遊技球は、タンクレール４５及び球通路４６を通って払出装置３１へと流下して、球払出装置３１の作動によって球流通路３２ａ，３２ｂへと払い出されることとなる。払出装置３１から払い出された遊技球は、通常、球流通路３２ａを介して球送出口３４に送られるが、遊技球が大量に払い出されて球流通路３２ａの分岐部分まで遊技球が滞留した場合には、払い出された遊技球が球流通路３２ｂを介して余剰球貯留皿１１の球放出口２４に送られるようになっている。
【００２６】
また、裏機構板７には、遊技盤９の裏面側に突出した状態で取り付けられる制御装置や該制御装置の保護カバー（いずれも図示省略）との干渉を避けるために、その略中央部に矩形状の開口部４７が形成されている。すなわち、この開口部４７内に、遊技全般を制御する主制御基板、払出装置３１を制御する払出制御基板、発射装置１５を制御する発射制御基板等の各種基板が夫々配設されることとなる（図示省略）。さらに裏機構板７の上部位置には、遊技状態等の所要情報信号を出力する情報端子基板４８が、球タンク３０の横に並べて配設されている。
【００２７】
一方、上記した前枠扉６は、その左側縁がヒンジ部材１７によって本体枠５に枢着されている。ここで、前枠扉６は、上記した下部パネル２３よりも上の領域をほぼ全体的に前面から覆うように設けられており、本体枠５に閉鎖された状態で、上記した遊技盤９、発射装置１５、及び整流器２０を前方から覆うこととなる。
【００２８】
この前枠扉６の中央には、透明板１８を保持する略円形の遊技領域開口部１９が形成されており、前枠扉６を閉鎖した状態で、該遊技領域開口部１９を介して、上記した遊技盤９の遊技領域１２を前方から視認可能となっている。
【００２９】
また、前枠扉６の下部前面には、発射球貯留皿１０が配設されている。この発射球貯留皿１０は、その右側内部に、遊技球を整列する整列部３８が形成されており、該整列部３８の右端に、遊技球を取り込む球取込口（図示省略）が形成されている（図２参照）。また、発射球貯留皿１０の内底面は、遊技球が整列部３８を流下して球取込口（図示省略）へ流入するように右方向へ下方傾斜している。そして、前枠扉６の閉鎖状態で、球取込口（図示省略）から流入した遊技球が整流器２０に流入する。すなわち、この発射球貯留皿１０は、発射装置１５へ送る遊技球を貯留するためのものである。なお、この発射球貯留皿１０が、本発明おける球貯留皿に該当するものである。
【００３０】
さらに、前枠扉６には、図４に示すように、発射球貯留皿１０の左側位置に開口した球払出口３３が設けられており、この球払出口３３が前枠扉６の厚み方向に貫通するように設けられている。そして、本体枠５には、前枠扉６の閉鎖状態で、球払出口３３と対向する位置に球送出口３４が設けられている。この球送出口３４は、上述した球流通路３２ａと連通しており（図３参照）、払出装置３１により払い出された遊技球を球払出口３３を介して発射球貯留皿１０へ流出させ得るようになっている。また、この球送出口３３には、前枠扉６の閉鎖時に後述する球導出受部５０が嵌入するようになっており、水平回動しながら進退する球導出受部５０が本体枠５と衝突しないように、球送出口３３の右側下部には幅狭な逃げ部３６が延成される。
【００３１】
また、本体枠５には、図５に示すように、球送出口３４の直上流位置に、払出球排出路３５の流入口３７が上向きに開口している。この払出球排出路３５は、その下端を球放出口２４に連通させており（図示省略）、球流通路３２ａを流下した遊技球ｘが球送出口３４から流出せずに払出球排出路３５へ流入すると、球放出口２４を介して余剰球貯留皿１１へ放出されることとなる。
【００３２】
また、前枠扉６には、図４，５に示すように、球払出口３３から後方へ突出するように、上方開口した略矩形皿状の球導出受部５０が配設されている。この球導出受部５０は、図５（Ａ）に示すように、前枠扉６が閉鎖された状態で、球送出口３４から嵌入して払出球排出路３５の流入口３７を閉塞し、前枠扉６の開放状態では、球送出口３４から退出して、払出球排出路３５の流入口３７を開放する。かかる構成によれば、前枠扉６の閉鎖状態では、図５（Ａ）に示すように、球流通路３２ａを流下した遊技球は、球導出受部５０によって受け止められて球送出口３４から流出し、球払出口３３から発射球貯留皿１０へ流入することとなる。一方、前枠扉６の開放状態では、図４，５（Ｂ）に示すように、球流通路３２ａを流下した遊技球は払出球排出路３５に流入し、球放出口２４から余剰球貯留皿１１へ流出することとなる。
【００３３】
また、本体枠５の、球送出口３４の下縁部の裏面側には、図４，５に示すように、シャッタ板４０が回動自在に軸支されている。このシャッタ板４０は、支軸４１から起立することとなる起立位置βで球送出口４３を閉塞するようになっており（図５（Ｂ）参照）、支軸４１に配設された付勢バネ４２（図６参照）によってかかる起立位置βに付勢される。また、シャッタ板４０は、前枠扉６の閉鎖状態では、球送出口３４内に進入した前記球導出受部５０の後縁５１に押圧されて、後方に傾倒することとなる傾倒位置αに保持されるようになっている（図５（Ａ）参照）。
【００３４】
したがって、かかる構成によれば、前枠扉６の閉鎖状態では、図５（Ａ）に示すように、シャッタ板４０が傾倒位置αに保持されて球送出口３４が開放されているため、払出装置３１から払い出された遊技球ｘはシャッタ板４０に阻止されることなく球送出口３４から流出することとなる。一方、前枠扉６の開放状態では、図５（Ｂ）に示すように、シャッタ板４０が起立位置βに保持されて球送出口３４が閉鎖されるため、払出装置３１から払い出された遊技球ｘが球流通路３２ａを勢いよく流下してきても、当該遊技球ｘは球送出口３４から飛び出すことなく、払出球排出路３５に流入することとなる。
【００３５】
以下に、本発明の要部に係る構成を詳細に説明する。
【００３６】
シャッタ板４０は、図５，６に示すように、取付金具４３の上端部に支軸４１を介して取り付けられる。取付金具４３は金属板片を板金加工してなるものであり、本体枠５の、球送出口４３の直下位置に後方から螺着される矩形板状の取付部６８を主体とする。この取付部６８の両側部には、本体枠５と螺着するための取付孔６０，６０が貫設されている。また、取付部６８の上端両側部には、管状の軸保持部６１，６１が配設されており、シャッタ板４０を軸支するための支軸４１を該軸保持部６１に保持するようになっている。
【００３７】
シャッタ板４０は、図６に示すように、金属板片を板金加工してなるものであり、球送出口３４を閉塞する湾曲板状の遮蔽部６２を主体とする。この遮蔽部６２は、図４に示すように、正面視が球送出口３４よりも一回り小さい形状をなすものであり、球送出口３４の下縁から起立した状態で、球送出口３４から遊技球が流出し得ないように閉塞する。なお、遮蔽部６２の右上部は、上記球送出口３４の逃げ部３６の形状に合わせるように切り欠かれている。また、遮蔽部６２は、図５，６に示すように、縦断面が円弧状をなすように湾曲しており、遮蔽部６２の前面全体に凹状面６４が形成されている。かかる凹状面６４は、後述するように、前枠扉６の開放動作に伴って球導出受部６４の後縁に弾接するものであり、すなわち、本発明における弾接凹面部６４を構成するものである。
【００３８】
遮蔽部６２の下縁両側には、図６に示すように、管状の軸孔部６３，６３が配設されており、この軸孔部６３，６３に前記支軸４１を挿通させることによって、シャッタ板４０は回動可能に保持される。また、各軸孔部６３の前面６５は、図５（Ｂ）に示すように、シャッタ板４０が起立位置βに位置したときに、本体枠５に当接して、シャッタ板４０が起立位置βから前方回動しないように規制する働きをする。
【００３９】
付勢バネ４２は、図６に示すように、ねじりコイルバネからなるものであり、支軸４１に外嵌して、その一端をシャッタ板４０の裏面に当接し、他端を取付金具４３の裏面に当接することにより、シャッタ板４０を起立位置βへ回動させるよう付勢する。
【００４０】
以下に、前枠扉６の開放動作に伴う、シャッタ板４０の変換態様を説明する。
【００４１】
図７（ａ）は、前枠扉６の閉鎖状態を示す。かかる状態では、球導出受部５０が球送出口３４内に嵌入して払出球排出路３５の流入口を閉塞している。また、シャッタ板４０は、球導出受部５０の後縁５１によって押し下げられて、その上端部６７を球導出受部５０の後縁５１に弾接した状態で傾倒位置αに保持されている。かかる状態では、払出装置３１から払い出された遊技球ｘは、球流通路３２ａを流下して球導出受部５０上に転がり落ち、球送出口３４から発射球貯留皿１０へ流出することとなる。また、遊技球ｘが大量に払い出されて発射球貯留皿１０が満杯となって、球導出受部５０も遊技球ｘで一杯となると、図７（ａ）に示すように、球流通路３２ａに遊技球ｘが滞留することとなる。
【００４２】
図７（ｂ）〜図８（ｅ）は、前枠扉６の開放動作に伴うシャッタ板４０の変換態様を示したものである。図７（ｂ）に示すように、前枠扉６が僅かに開放されて球導出受部５０が僅かに（約５ｍｍ）前進すると、シャッタ板４０が弾接凹面部６４の上端側を球導出受部５０の後縁５１に弾接させながら起立位置β方向へ回動し、シャッタ板４０の上端部６７は、球導出受部５０の後縁５１を追従するように前上方へ回動する。なお、図中の遊技球ｘの径は約１１ｍｍである。
【００４３】
図７（ｂ）の状態から球導出受部５０がさらに前進して、前枠扉６の閉鎖状態から１ｃｍ程度前方退避すると、図７（ｃ）に示すように、シャッタ板４０は、弾接凹面部６４が球導出受部５０の後縁５１と弾接する位置を徐々に支軸４１側にずらしながら、起立位置β方向へ回動する。そして、シャッタ板４０の上端部６７は、前上方に回動して球導出受部５０の直上方に突出する。図７（ｃ）に示すように、かかる状態では、球流通路３２ａで滞留していた遊技球ｘはシャッタ板４０の上端部６７の裏面側で係止されることとなる。
【００４４】
そして、図７（ｃ）の状態から球導出受部５０がさらに前進すると、図８（ｄ）に示すように、シャッタ板４０がさらに起立位置β方向へ回動し、その上端部６７はさらに前上方に回動して球導出受部５０の直上方に突出する。これにより、払出球排出路３５の流入口３７が開放され、球流通路３２ａで滞留していた遊技球ｘは払出球排出路３５に流入し、余剰球貯留皿１１へ流出することとなる。
【００４５】
さらに、前枠扉６が開放されて、球導出受部５０が球送出口３４から完全に退出すると、図８（ｅ）に示すように、シャッタ板４０が起立位置βまで回動して、球送出口４３がシャッタ板４０によって閉塞される。
【００４６】
このように、前枠扉６の開放動作によって球導出受部５０が前方に退避すると、これに伴ってシャッタ板４０が傾倒位置αから起立位置βへ回動して、球送出口４３を閉塞する。
【００４７】
ここで、本実施例にあっては、図７，８に示すように、前枠扉６の開放動作におけるシャッタ板４０の起立角度（上端部６７と支軸４１を結ぶ仮想平面が水平面となす角度）が、従来構成の平板状シャッタ板ａよりも大きいものとなる。これは、弾接凹面部６４を球導出受部５０の後縁５１に弾接させているため、弾接凹面部６４の凹み分だけ、シャッタ板４０の上端部６７と支軸４１を結ぶ仮想平面が前上方に回動するためである。
【００４８】
また、本実施例では、弾接凹面部６４がシャッタ板４０の少なくとも上端部寄り部位に形成されており、図７（Ｂ）に示すように、前枠扉６の閉鎖状態における位置から球導出受部５０が僅かに前方退避した段階で弾接凹面部６４が球導出受部５０の後縁５１に弾接し、シャッタ板４０の起立角度が大きくなるようになっている。
【００４９】
かかる構成によれば、シャッタ板４０の上端部６７の追従初速度が従来構成よりも大きなものとなり、図７，８に示すように、シャッタ板４０は、傾倒位置αから起立位置βに変換するまでの間、球導出受部５０の後方へほとんど突出することがない。
【００５０】
このように、本実施例のパチンコ機１では、前枠扉６の開放動作の際に、シャッタ板４０が球導出受部５０に突出しないため、球流通路３２ａに滞留する遊技球ｘがシャッタ板４０の上に乗載せず、該遊技球ｘが球送出口３４から零れ落ちることがない。
【００５１】
なお、本発明におけるシャッタ板は、上記実施例の形状に限らず本発明の要旨を逸脱しない範囲内において種々変更を加えることができる。
【００５２】
例えば、図９は、凹状に屈折する弾接凹面部６４ａを備えるシャッタ板４０ａである。本発明におけるシャッタ板は、このように屈折する弾接凹面部を備えるものであってもよい。
【００５３】
また、図１０は、シャッタ板の、球導出受部と弾接する部分のみに窪み状の弾接凹面部６４ｂを設け、球導出受部と弾接しない部分は平面状にしたシャッタ板４０ｂである。本発明におけるシャッタ板は、このようにシャッタ板の前面の一部分に配設されるものであってもよい。なお、図９，１０中においては、上記実施例のシャッタ板４０（図６参照）と同構成である部分について符号を共通させている。
【００５４】
また、上記実施例は本発明をパチンコ機に適用したものであるが、本発明は同様にして遊技球を遊技媒体とするパロット機にも適用可能である。
【図面の簡単な説明】
【００５５】
【図１】前枠扉６を閉鎖した状態のパチンコ機１の斜視図である。
【図２】前枠扉６を開放した状態のパチンコ機１の斜視図である。
【図３】パチンコ機１の裏機構板７の裏面図である。
【図４】図２のＺ部分の拡大図である。
【図５】前枠扉６の開閉に伴うシャッタ板４０等の作動態様を示す要部縦断側面図である。
【図６】シャッタ板４０の斜視図である。
【図７】前枠扉６の開放動作に伴うシャッタ板４０の変換態様を示す説明図である。
【図８】図７から続く、前枠扉６の開放動作に伴うシャッタ板４０の変換態様を示す説明図である。
【図９】変形例のシャッタ板４０ａの斜視図である。
【図１０】変形例のシャッタ板４０ｂの斜視図である。
【図１１】従来の遊技機のシャッタ板ａの作動態様を示す要部縦断側面図である。
【符号の説明】
【００５６】
１  パチンコ機（遊技機）
３  遊技機本体
６  前枠扉
１０  発射球貯留皿
３１  払出装置
３２  球流通路
３３  球払出口
３４  球送出口
３５  払出球排出路
４０，４０ａ，４０ｂ  シャッタ板
４１  支軸
４２  付勢バネ
５０  球導出受部
５１  後縁
６４，６４ａ，６４ｂ  弾接凹面部
６５  規制面部
６７  上端部
ｘ  遊技球
α  傾倒位置
β  起立位置
【図１】
2008006176.tif 000003
【図２】
2008006176.tif 000004
【図３】
2008006176.tif 000005
【図４】
2008006176.tif 000006
【図５】
2008006176.tif 000007
【図６】
2008006176.tif 000008
【図７】
2008006176.tif 000009
【図８】
2008006176.tif 000010
【図９】
2008006176.tif 000011
【図１０】
2008006176.tif 000012
【図１１】
2008006176.tif 000013
【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
遊技球を払い出す払出装置と、該払出装置により払い出された遊技球が前方へ流出可能な球送出口とを備えた遊技機本体と、
球貯留皿が前面に配設され、前記遊技機本体の前面側に片開き可能に枢支された前枠扉と、
前記前枠扉に後方へ突設され、前記前枠扉の閉鎖状態で前記球送出口に嵌入して、前記払出装置により払い出された遊技球を受けて前記球貯留皿へ導出する球導出受部と、
前記球送出口の下縁部に回動自在に軸支され、付勢バネにより前記前枠扉の開放状態では前記球送出口を閉塞する起立位置に付勢保持され、前記前枠扉の閉鎖状態では、前記球送出口に嵌入した前記球導出受部の後縁に弾接して前記球送出口を開放する傾倒位置に保持されるシャッタ板と
を備えた遊技機において、
前記シャッタ板の表面には、
前記前枠扉の開放動作に伴って前記球導出受部が前方退避する際に前記球導出受部の後縁に付勢バネによって弾接しながら追従する凹状の弾接凹面部が設けられていることを特徴とする遊技機。
【請求項２】
前記弾接凹面部は、前記球導出受部の前方退避に伴って前記シャッタ板が前記傾倒位置から前記起立位置に変換する際に、前記シャッタ板の上端部の追従初速度を向上するものであることを特徴とする請求項１記載の遊技機。
【請求項３】
前記シャッタ板は、前記球導出受部が前記前枠扉の閉鎖状態における位置から略水平に回動して前方へ退避するのに伴って、前記弾接凹面部を前記球導出受部の後縁に弾接させながら前上方へ回動して前記起立位置に変換するものであり、
前記弾接凹面部は、前記球導出受部の後縁が前記前枠扉の閉鎖状態における位置から僅かに前方へ退避した状態で、前記シャッタ板の支軸と前記シャッタ板の上端部とを結ぶ仮想平面よりも後下方位置で、前記球導出受部の後縁に弾接するように前記シャッタ板の表面に設けられていることを特徴とする請求項１又は請求項２に記載の遊技機。